(57)【要約】【課題】画像と共に記録させる位置名称情報のカテゴリをユーザの意図に応じて的確に指定する。【解決手段】被写体像を撮影するレンズ光学系１２及びＣＣＤ１３と、現在地点の２次元位置を取得するＧＰＳアンテナ３５及びＧＰＳレシーバ３０と、２次元位置情報に対応する複数のカテゴリ別の位置名称情報を記憶した地図データベース３４と、撮影時にＧＰＳレシーバ３０で取得した２次元位置情報に基づいて地図データベース３４よりカテゴリ別に読出される複数の位置名称情報中の任意のものを指定するキー入力部２７と、指定した位置名称情報を撮影で得た画像データに関連付けてメモリカード２９に記録する制御部２２とを備える。【選択図】　　図１
2004088607.tif 000002
【特許請求の範囲】
【請求項１】
被写体像を撮影する撮像手段と、
少なくとも現在地点の２次元位置情報を含む撮影情報を取得する取得手段と、
撮影情報に対応する複数のカテゴリ別の位置名称情報を記憶した情報記憶手段と、
上記取得手段で取得した撮影情報に基づいて上記情報記憶手段よりカテゴリ別に読出される複数の位置名称情報中の任意のものを指定する指定手段と、
この指定手段で指定した位置名称情報を上記撮像手段で得た画像データに関連付けて媒体に記録する記録手段と
を具備したことを特徴とする撮像装置。
【請求項２】
上記指定手段での指定を促すべく、上記撮像手段での撮影により得た画像データと共に上記取得手段で取得した撮影情報に基づいて上記情報記憶手段から読出される複数の位置名称情報をカテゴリ別に表示する表示手段をさらに具備したことを特徴とする請求項１記載の撮像装置。
【請求項３】
被写体像を撮影する撮像手段と、
少なくとも現在地点の２次元位置情報を含む撮影情報を取得する取得手段と、
撮影情報に対応する複数のカテゴリ別の位置名称情報を記憶した情報記憶手段と、
上記複数のカテゴリ中から任意のものを予め指定しておく指定手段と、
上記取得手段で取得した撮影情報と上記指定手段で指定したカテゴリに基づいて上記情報記憶手段から位置名称情報を読出し、上記撮像手段で得た画像データに関連付けて媒体に記録する記録手段と
を具備したことを特徴とする撮像装置。
【請求項４】
上記取得手段で取得する撮影情報は、現在地点の高度情報、被写体に対する撮影方位情報、被写体までの撮影距離情報、被写体に対する仰角または俯角からなる撮影角度情報、及び撮影画角情報のうちの少なくとも１つを含むことを特徴とする請求項１乃至３いずれかに記載の撮像装置。
【請求項５】
少なくとも現在地点の２次元位置情報を含む撮影情報を取得する取得工程と、
この取得工程で取得した撮影情報に基づいて、撮影情報に対応する複数のカテゴリ別の位置名称情報を記憶した情報記憶部よりカテゴリ別に読出される複数の位置名称情報中の任意のものを指定する指定工程と、
この指定工程で指定した位置名称情報を撮像部で得た画像データに関連付けて媒体に記録する記録工程と
を有したことを特徴とする撮像方法。
【請求項６】
位置名称情報の種別を示す複数のカテゴリ中から任意のものを予め指定しておく指定工程と、
少なくとも現在地点の２次元位置情報を含む撮影情報を取得する取得工程と、
上記指定工程で指定したカテゴリと上記取得工程で取得した撮影情報に基づいて、撮影情報に対応する複数のカテゴリ別の位置名称情報を記憶した情報記憶部から該当する位置名称情報を読出し、撮像部で得た画像データに関連付けて媒体に記録する記録工程と
を有したことを特徴とする撮像方法。
【請求項７】
少なくとも現在地点の２次元位置情報を含む撮影情報を取得する取得ステップと、
この取得ステップで取得した撮影情報に基づいて、撮影情報に対応する複数のカテゴリ別の位置名称情報を記憶した情報記憶部よりカテゴリ別に読出される複数の位置名称情報中の任意のものを指定する指定ステップと、
この指定ステップで指定した位置名称情報を撮像部で得た画像データに関連付けて媒体に記録する記録ステップと
を撮像装置に内蔵されたコンピュータに実行させることを特徴とするプログラム。
【請求項８】
位置名称情報の種別を示す複数のカテゴリ中から任意のものを予め指定しておく指定ステップと、
少なくとも現在地点の２次元位置情報を含む撮影情報を取得する取得ステップと、
上記指定ステップで指定したカテゴリと上記取得ステップで取得した撮影情報に基づいて、撮影情報に対応する複数のカテゴリ別の位置名称情報を記憶した情報記憶部から、該当する位置名称情報を読出し、撮像部で得た画像データに関連付けて媒体に記録する記録ステップと
を撮像装置に内蔵されたコンピュータに実行させることを特徴とするプログラム。
【発明の詳細な説明】
【０００１】
【発明の属する技術分野】
本発明は、例えばデジタルスチルカメラに好適な撮像装置、撮像方法及びプログラムに関する。
【０００２】
【従来の技術】
近時、銀塩フィルムを使用する銀塩カメラに代わって、撮影により得た画像データをデジタルデータ化してメモリカード等に記録可能なデジタルスチルカメラが一般に普及しつつある。
【０００３】
この種のデジタルスチルカメラでは、撮像素子の画素数に応じた機種のバリエーション展開がなされる一方で、カメラ全体を防水機構化したものや、ＧＰＳ（Ｇｌｏｂａｌ　Ｐｏｓｉｔｉｏｎｉｎｇ　Ｓｙｓｔｅｍ：全地球測位システム）受信機能と方位センサとを内蔵して画像データに位置情報と方位情報を付加して記録可能なものなど、様々な用途に応じた商品展開もなされている。
【０００４】
しかるに、ＧＰＳ測位機能によって得られるのは緯度、経度及び高度の各情報からなる３次元座標位置と正確な時刻のみであり、緯度や経度の数値情報は距離計算等を行なうのには有利であろうが、ユーザにとって実際の生活の場で直接役に立つ情報ではない。
【０００５】
そこで、カメラ本体に緯度及び経度の情報に対応した位置名称情報として複数のカテゴリ、例えば地名や施設名を記憶した地図データベースを備えるなどして、画像の撮影に際してはその撮影を行なった位置情報から地図データベースを検索し、対応する地名や施設名を読出して画像データに関連付けて記録させるようにすることも考えられる。
【０００６】
【発明が解決しようとする課題】
しかしながら、例えば撮影を行なった場所の地名が「千葉県浦安市」であり、施設名が「東京○○○○ランド」であった場合に、撮影により得た画像と共に記録させたい位置名称情報のカテゴリが地名「千葉県浦安市」と施設名「東京○○○○ランド」のいずれであるのかは、その時点でのユーザの意図や都合等によって異なり、カメラの側で一様に判断できるものではない。
【０００７】
本発明は上記のような実情に鑑みてなされたもので、その目的とするところは、画像と共に記録させる位置名称情報のカテゴリをユーザの意図に応じて的確に指定することが可能な撮像装置、撮像方法及びプログラムを提供することにある。
【０００８】
【課題を解決するための手段】
請求項１記載の発明は、被写体像を撮影する撮像手段と、少なくとも現在地点の２次元位置情報を含む撮影情報を取得する取得手段と、撮影情報に対応する複数のカテゴリ別の位置名称情報を記憶した情報記憶手段と、上記取得手段で取得した撮影情報に基づいて上記情報記憶手段よりカテゴリ別に読出される複数の位置名称情報中の任意のものを指定する指定手段と、この指定手段で指定した位置名称情報を上記撮像手段で得た画像データに関連付けて媒体に記録する記録手段とを具備したことを特徴とする。
【０００９】
このような構成とすれば、位置名称情報のカテゴリをユーザの意図に応じて指定することで、撮影した画像に指定したカテゴリの位置名称情報を付帯して記録させることが可能となる。
【００１０】
請求項２記載の発明は、上記請求項１記載の発明において、上記指定手段での指定を促すべく、上記撮像手段での撮影により得た画像データと共に上記取得手段で取得した撮影情報に基づいて上記情報記憶手段から読出される複数の位置名称情報をカテゴリ別に表示する表示手段をさらに具備したことを特徴とする。
【００１１】
このような構成とすれば、上記請求項１記載の発明の作用に加えて、カテゴリ別に表示される位置名称情報の中から意図するカテゴリのものを指定することにより、カテゴリ別の位置名称情報の内容を確認した上で確実に画像に付帯して記録させることができる。
【００１２】
請求項３記載の発明は、被写体像を撮影する撮像手段と、少なくとも現在地点の２次元位置情報を含む撮影情報を取得する取得手段と、撮影情報に対応する複数のカテゴリ別の位置名称情報を記憶した情報記憶手段と、上記複数のカテゴリ中から任意のものを予め指定しておく指定手段と、上記取得手段で取得した撮影情報と上記指定手段で指定したカテゴリに基づいて上記情報記憶手段から位置名称情報を読出し、上記撮像手段で得た画像データに関連付けて媒体に記録する記録手段とを具備したことを特徴とする。
【００１３】
このような構成とすれば、予め位置名称情報のカテゴリを指定しておくことで、指定したカテゴリの位置名称情報を自動的に読出し、画像に付帯して記録させることが可能となる。
【００１４】
請求項４記載の発明は、上記請求項１乃至３いずれかに記載の発明において、上記取得手段で取得する撮影情報は、現在地点の高度情報、被写体に対する撮影方位情報、被写体までの撮影距離情報、被写体に対する仰角または俯角からなる撮影角度情報、及び撮影画角情報のうちの少なくとも１つを含むことを特徴とする。
【００１５】
このような構成とすれば、上記請求項１乃至３いずれかに記載の発明の作用に加えて、単に撮影時のカメラの２次元位置のみならず、より詳細な撮影情報により画像に適した位置名称情報を選択して読出し、画像に付帯して記録させることができる。
【００１６】
請求項５記載の発明は、少なくとも現在地点の２次元位置情報を含む撮影情報を取得する取得工程と、この取得工程で取得した撮影情報に基づいて、撮影情報に対応する複数のカテゴリ別の位置名称情報を記憶した情報記憶部よりカテゴリ別に読出される複数の位置名称情報中の任意のものを指定する指定工程と、この指定工程で指定した位置名称情報を撮像部で得た画像データに関連付けて媒体に記録する記録工程とを有したことを特徴とする。
【００１７】
このような方法とすれば、位置名称情報のカテゴリをユーザの意図に応じて指定することで、撮影した画像に指定したカテゴリの位置名称情報を付帯して記録させることが可能となる。
【００１８】
請求項６記載の発明は、位置名称情報の種別を示す複数のカテゴリ中から任意のものを予め指定しておく指定工程と、少なくとも現在地点の２次元位置情報を含む撮影情報を取得する取得工程と、上記指定工程で指定したカテゴリと上記取得工程で取得した撮影情報に基づいて、撮影情報に対応する複数のカテゴリ別の位置名称情報を記憶した情報記憶部から該当する位置名称情報を読出し、撮像部で得た画像データに関連付けて媒体に記録する記録工程とを有したことを特徴とする。
【００１９】
このような方法とすれば、予め位置名称情報のカテゴリを指定しておくことで、指定したカテゴリの位置名称情報を自動的に読出し、画像に付帯して記録させることが可能となる。
【００２０】
請求項７記載の発明は、少なくとも現在地点の２次元位置情報を含む撮影情報を取得する取得ステップと、この取得ステップで取得した撮影情報に基づいて、撮影情報に対応する複数のカテゴリ別の位置名称情報を記憶した情報記憶部よりカテゴリ別に読出される複数の位置名称情報中の任意のものを指定する指定ステップと、この指定ステップで指定した位置名称情報を撮像部で得た画像データに関連付けて媒体に記録する記録ステップとを撮像装置に内蔵されたコンピュータに実行させることを特徴とする。
【００２１】
このようなプログラム内容とすれば、位置名称情報のカテゴリをユーザの意図に応じて指定することで、撮影した画像に指定したカテゴリの位置名称情報を付帯して記録させることが可能となる。
【００２２】
請求項８記載の発明は、位置名称情報の種別を示す複数のカテゴリ中から任意のものを予め指定しておく指定ステップと、少なくとも現在地点の２次元位置情報を含む撮影情報を取得する取得ステップと、上記指定ステップで指定したカテゴリと上記取得ステップで取得した撮影情報に基づいて、撮影情報に対応する複数のカテゴリ別の位置名称情報を記憶した情報記憶部から、該当する位置名称情報を読出し、撮像部で得た画像データに関連付けて媒体に記録する記録ステップとを撮像装置に内蔵されたコンピュータに実行させることを特徴とする。
【００２３】
このようなプログラム内容とすれば、予め位置名称情報のカテゴリを指定しておくことで、指定したカテゴリの位置名称情報を自動的に読出し、画像に付帯して記録させることが可能となる。
【００２４】
【発明の実施の形態】
（第１の実施の形態）
以下本発明をデジタルスチルカメラ（以下「デジタルカメラ」と略称する）に適用した場合の第１の実施の形態について図面を参照して説明する。
【００２５】
図１はその回路構成を示すもので、１０がデジタルカメラである。このデジタルカメラ１０は、基本モードとして撮影モードと再生モードとを切換えて設定可能であり、撮影モードでのモニタリング状態においては、モータ１１の駆動により合焦位置や絞り位置が移動されるレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１フレーム分出力する。
【００２６】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換されてカラープロセス回路１８へ出力される。
【００２７】
上記カラープロセス回路１８は、Ａ／Ｄ変換器１７から送られてくる画像のデジタルデータに対する画素補間処理及びγ補正処理を含むカラープロセス処理を行ない、デジタル値の輝度信号Ｙ及び色差信号Ｃｂ，Ｃｒを生成してＤＭＡ（Ｄｉｒｅｃｔ　Ｍｅｍｏｒｙ　Ａｃｃｅｓｓ）コントローラ１９に出力する。
【００２８】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース２０を介してバッファメモリとして使用されるＤＲＡＭ２１にＤＭＡ転送出力する。
【００２９】
制御部２２は、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００３０】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００３１】
この表示部２６は、例えばバックライト付のカラー液晶表示パネルとその駆動回路とで構成され、デジタルカメラ１０本体の背面側に配設されて、撮影モード時にはモニタ表示部（電子ファインダ）として機能するもので、デジタルビデオエンコーダ２５からのビデオ信号に基づいた表示を行なうことで、その時点でＶＲＡＭコントローラ２３から取込んでいる画像情報に基づく画像を表示することとなる。
【００３２】
このように表示部２６にその時点での画像をモニタ画像としてリアルタイムに表示させている状態で、静止画撮影を行ないたいタイミングでキー入力部２７を構成する複数のキー中のシャッタキーを操作すると、トリガ信号を発生する。
【００３３】
制御部２２は、このトリガ信号に応じてその時点でＣＣＤ１３から取込んでいる１フレーム分の輝度及び色差信号のＤＲＡＭ２１へのＤＭＡ転送の終了後、直ちにＣＣＤ１３からＤＲＡＭ２１への経路を停止し、記録保存の状態に遷移する。
【００３４】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ　Ｐｈｏｔｏｇｒａｐｈ　ｃｏｄｉｎｇ　Ｅｘｐｅｒｔｓ　Ｇｒｏｕｐ）回路２８に書込み、このＪＰＥＧ回路２８でＡＤＣＴ（Ａｄａｐｔｉｖｅ　Ｄｉｓｃｒｅｔｅ　Ｃｏｓｉｎｅ　Ｔｒａｎｓｆｏｒｍ：適応離散コサイン変換）、エントロピ符号化方式であるハフマン符号化等の処理によりデータ圧縮する。
【００３５】
そして、得た符号データを１フレームのデータファイルとして該ＪＰＥＧ回路２８から読出し、このデジタルカメラ１０の記録媒体として着脱自在に装着される、不揮発性メモリであるフラッシュメモリを封入したメモリカード２９に書込む。
【００３６】
そして、１フレーム分の輝度及び色差信号の圧縮処理及びメモリカード２９への全圧縮データの書込み終了に伴なって、制御部２２はＣＣＤ１３からＤＲＡＭ２１への経路を再び起動する。
【００３７】
なお、制御部２２にはさらに、ＧＰＳレシーバ３０、方位センサ３１、角度センサ３２、測距センサ３３、及び地図データベース３４が接続される。
ＧＰＳレシーバ３０は、ＧＰＳアンテナ３５で受信される複数のＧＰＳ衛星からの到来電波に基づいて現在位置の３次元座標データ、すなわち緯度、経度及び高度の各データと現在時刻とを算出し、上記制御部２２へ送出する。
【００３８】
方位センサ３１は、地磁気を検出する磁気センサとその処理回路とでなり、このデジタルカメラ１０のカメラ本体が正対する方向の方位データを上記制御部２２へ出力する。
【００３９】
角度センサ３２は、ジャイロセンサとその処理回路とでなり、上記レンズ光学系１２で構成される撮影光軸と水平面とで形成される仰角または俯角の角度データを制御部２２へ出力する。
【００４０】
測距センサ３３は、このデジタルカメラ１０がアクティブ方式のＡＦ（自動合焦）機能を有している場合に、被写体位置に赤外線を投光し、その反射光を受光する送受光部と、その送光から受光に至るタイムラグから被写体までの距離を算出する処理回路とでなり、得られた距離データを制御部２２へ出力する。
【００４１】
地図データベース３４は、図２に示すように２次元（緯度及び経度）位置情報の範囲毎に設定されるエリアに対応して複数のカテゴリ、例えばイベント、施設、都道府県、及び市区町村の位置名称情報を記憶しており、制御部２２から２次元位置情報が与えられると、対応するエリアの複数のカテゴリの位置名称情報を一括して制御部２２へ読出す。
【００４２】
図示するようにこれらの位置名称情報は、１つのエリアに対して必ず１：１に対応して設定されるものではなく、カテゴリに該当する位置名称情報がない場合や、１つのカテゴリに複数の位置名称情報が設定されている場合もあり得るものとする。
【００４３】
なお、上記キー入力部２７は、上述したシャッタキーの他に、基本モードである撮影（ＲＥＣ）モードと再生（ＰＬＡＹ）モードとを切換えるモード切換えキー、各種メニュー項目を表示させる「メニュー」キー、画像や各種詳細モードの選択、メニュー選択項目の指定等のために上下左右各方向を指示するための十字キー、この十字キーの中央部に配置され、その時点で選択されている内容を指示設定する「セット」キー、上記表示部２６での表示をオン／オフするディスプレイキー等から構成され、それらのキー操作に伴なう信号は直接制御部２２へ送出される。
【００４４】
次に上記実施の形態の動作について説明する。
図３は、基本モードとして撮影モードが選択されている状態で主として制御部２２が実行する処理内容を示すものである。
なお、この基本モードである撮影モードにおいては、撮影画像と合せて撮影場所名を示す情報を共に記録するモードを予め選択可能であるものとする。
【００４５】
その処理当初には、ＣＣＤ１３で撮像している画像をそのままバッファメモリであるＤＲＡＭ２１に保持し、表示部２６でモニタ表示させるスルー画像表示を実行しながら（ステップＡ０１）、キー入力部２７のシャッタキーが押圧操作されたか否かを判断する（ステップＡ０２）、という処理を繰返し実行して、該シャッタキーの操作がなされるのを待機する。
【００４６】
しかして、ステップＡ０２でシャッタキーが押圧操作されたと判断した時点で、直ちに撮影処理を実行する（ステップＡ０３）。
【００４７】
このとき、撮影画像と合せて撮影場所名を示す情報を共に記録するモードが予め選択されているか否かを判断し（ステップＡ０４）、選択されていないと判断した場合には、そのまま撮影により得た画像データのみをＪＰＥＧ回路２８でデータ圧縮した後にメモリカード２９に記録設定し（ステップＡ１７）、再び上記ステップＡ０１からの処理に戻って次の撮影を待機する。
【００４８】
また、上記ステップＡ０４で撮影場所名を示す情報を記録するモードが予め選択されていると判断した場合には、次いでＧＰＳレシーバ３０による現在位置の測位処理を開始させ（ステップＡ０５）、現在位置の２次元（緯度及び経度）位置情報を取得する（ステップＡ０６）。
【００４９】
なお、撮影画像と合せて撮影場所名を示す情報を共に記録するモードを予め選択するのではなく、シャッタキーの押圧操作後、撮影画像と合せて撮影場所名を示す情報を共に記録するモードがユーザにより選択設定された場合にのみステップＡ０５以下の処理に移行するようにしてもよい。
【００５０】
そして、取得した２次元位置情報に基づいて上記地図データベース３４を検索し、取得した２次元位置が含まれるエリアと対応付けて記憶されている複数のカテゴリの位置名称情報を一括して読出した上で、撮影した画像データに、読出した複数のカテゴリの位置名称情報をカテゴリ別に重畳したデータをＶＲＡＭ２４上で展開記憶させ、これを表示部２６で表示する（ステップＡ０７）。
【００５１】
図４（Ａ）は、このとき表示部２６で表示される画像を例示するもので、画像の一部、例えば左下端部にカテゴリ名「イベント」「施設」「都道府県」「市区町村」を一覧表示し、そのうちの１つ「施設」が指定されていることをカーソルでの反転表示により表現した上で、指定されているカテゴリ「施設」の具体的な位置名称情報が「東京○○○○シー」であることを示している。
【００５２】
また、図４（Ｂ）は、上記撮影した画像上に重畳して表示する、カテゴリとその具体的な位置名称情報の他の表示態様を例示するもので、上記図４（Ａ）ではカーソルにより指定したカテゴリのみ、具体的な位置名称情報を表示するものとしたが、ここでは各カテゴリ共にその具体的な位置名称情報を表示するものとしてもよい。
【００５３】
この場合、カテゴリ名「イベント」に対して位置名称情報「花火大会」が、カテゴリ名「施設」に対して位置名称情報「東京○○○○シー」が、カテゴリ名「都道府県」に対して位置名称情報「千葉県」が、カテゴリ名「市区町村」に対して位置名称情報「浦安市」が一括して表示されることとなる。
【００５４】
なお、地図データベース３４には、２次元位置情報に対応する１つのカテゴリに複数の位置名称情報が記憶されているものとしてもよく、この図４（Ｂ）でもカテゴリ名「イベント」に対する位置名称情報として「花火大会」以外に他の位置名称情報もあることを同欄中の記号「→」にて示している。
【００５５】
このような表示状態から、キー入力部２７の十字キー中の上下キーが操作されたか否か（ステップＡ０８）、あるいは該十字キーの中心に位置する「セット」キーによりその時点で指定されている位置名称情報を決定するキー操作がなされたか否か（ステップＡ１０）を繰返し判断することにより、これらのキー操作を待機する。
【００５６】
しかして、十字キー中の上下キーが操作された場合、ステップＡ０８でこれを判断し、操作されたキーに応じてカーソル表示されているカテゴリの指定を移動させ、そのカテゴリの具体的な位置名称情報を新たに表示した上で（ステップＡ０９）、上記ステップＡ１０に進む。
【００５７】
また、十字キーの中心の「セット」キーが操作された場合はステップＡ１０でこれを判断し、そのキー操作に従って位置名称情報のカテゴリを決定した上で、地図データベース３４から読出した、その決定したカテゴリに該当する位置名称情報が１つだけであるか否かを判断する（ステップＡ１１）。
【００５８】
ここで、決定したカテゴリの位置名称情報が１つだけであると判断した場合には、そのまま撮影により得た画像データとそのカテゴリの位置名称情報とを関連付けてメモリカード２９に記録設定し（ステップＡ１６）、以上で一連の撮影に関する処理を一旦終了し、次の撮影に備えるべく、再び上記ステップＡ０１からの処理に戻る。
【００５９】
また、上記ステップＡ１１で決定したカテゴリに該当する位置名称情報が１つではなく複数あると判断した場合には、続いてその決定したカテゴリに該当するすべての位置名称情報を上記図４（Ａ）のカテゴリ名に代えて一覧表示し、そのうちの１つをカーソルにより反転表示した上で（ステップＡ１２）、キー入力部２７の十字キー中の上下キーが操作されたか否か（ステップＡ１３）、あるいは該十字キーの中心に位置する「セット」キーによりその時点で指定されている位置名称情報を決定するキー操作がなされたか否か（ステップＡ１５）を繰返し判断することにより、これらのキー操作を待機する。
【００６０】
ここで十字キー中の上下キーが操作された場合、ステップＡ１３でこれを判断し、操作されたキーに応じてカーソル表示されている位置名称情報を移動させた上で（ステップＡ１４）、上記ステップＡ１５に進む。
【００６１】
また、十字キーの中心の「セット」キーが操作された場合はステップＡ１５でこれを判断し、そのキー操作に従って選択された、現在カーソル表示されている位置名称情報を撮影により得た画像データに関連付けてメモリカード２９に記録設定し（ステップＡ１６）、以上で一連の撮影に関する処理を一旦終了し、次の撮影に備えるべく、再び上記ステップＡ０１からの処理に戻る。
【００６２】
このように、画像撮影後に位置名称情報のカテゴリをユーザの意図に応じて指定することで、指定したカテゴリの位置名称情報を地図データベース３４から読出し、撮影により得た画像データに関連付けてメモリカード２９に記録させることが可能となる。
【００６３】
その場合、表示部２６でカテゴリ名の一覧表示を行なって、各カテゴリに該当する具体的な位置名称情報も合せて表示してユーザにカテゴリの選択を促すようにしたため、位置名称情報の内容を確認した上で確実に画像に付帯して記録させることができる。
【００６４】
なお、表示部２６にカテゴリ名を表示させずにカテゴリ毎の位置名称情報のみを一覧表示させ、ユーザに位置名称情報の選択を促すようにしてもよい。
【００６５】
また、上記実施の形態の動作では、ステップＡ０３での撮影処理後、ステップＡ０４にて撮影場所の位置名称情報を画像データと共に記録するモードが選択されているか否かを判断し、選択されていると判断した場合にのみステップＡ０５以下の処理を行なうものとして説明したが、ステップＡ０４のような判断ステップを設けず、撮影処理後には自動的にその撮影場所に対応した位置名称情報を関連付けて記録するための処理に移行するものとしてもよい。
【００６６】
また、上記ステップＡ０５及びＡ０６では、撮影処理時にＧＰＳ測位による撮影場所の２次元位置情報を得るものとしたが、このデジタルカメラ１０の電源オン時や撮影モードの設定時、あるいは撮影モード中の所定時間毎にＧＰＳ測位を行なって撮影場所の位置情報を得、これを保持しておくようにし、実際の撮影時には保持していた位置情報を用いるようにしてもよい。
【００６７】
このようにした場合、撮影モード時の実際にシャッタキーの操作による撮影処理を実行する前のモニタ表示によるスルー画像表示状態で、保持している位置情報を用いて上記ステップＡ０７以降の位置名称情報の指定を行なう処理を事前に実行しておき、撮影処理後は指定した位置名称情報をそのまま撮影により得た画像データに関連付けて記録するようにしてもよく、さらには保持している位置名称情報をスルー画像上に重畳表示しておくものとしてもよい。
【００６８】
また、上記実施の形態では画像データに位置名称情報を関連付けて記録するものとして説明したが、撮影時には画像データにＧＰＳ測位により得た撮影場所の位置情報を関連付けて記録するのに止め、後日メモリカード２９に記録した画像データを再生する際に、撮影場所の位置名称情報を選択するモードを選択することにより上記図４（Ａ）に示したような表示画面となって、ステップＡ０７以降の処理を実行し、選択した位置名称情報をあらためて画像データに関連付けて記録し直すようにしてもよい。
【００６９】
（第２の実施の形態）
以下本発明をデジタルスチルカメラ（以下「デジタルカメラ」と略称する）に適用した場合の第２の実施の形態について図面を参照して説明する。
【００７０】
なお、その回路構成については、上記図１で示したものとほぼ同様であるものとし、その図示及び説明は省略する。
【００７１】
加えて、地図データベース３４に記憶されている２次元位置情報に対応したエリアの各カテゴリ毎の位置名称情報も上記図２に示したものと同様であるものとして、その図示及び説明は省略する。
【００７２】
次に上記実施の形態の動作について説明する。
【００７３】
図５は、撮影モードでの処理に先立って実行するカテゴリ設定モードでの処理内容を示す。
【００７４】
同図に示すように、その処理当初には、表示部２６にカテゴリ名を一覧表示させた上で（ステップＢ０１）、キー入力部２７の十字キー中の上下キーが操作されたか否か（ステップＢ０２）、あるいは該十字キーの中心に位置する「セット」キーによりその時点で指定されているカテゴリを選択設定するキー操作がなされたか否か（ステップＢ０４）を繰返し判断することにより、これらのキー操作を待機する。
【００７５】
図７（Ａ）は、このとき表示部２６の一部で行なわれるカテゴリ名の一覧表示状態を示すものである。ここではカテゴリ名「イベント」「施設」「都道府県」「市区町村」が列挙され、そのうち特に「施設」がカーソルで反転表示されている状態を示す。
【００７６】
このようにカテゴリ名が列挙され、そのうちの１つがカーソルにより選択されている状態で、十字キー中の上下キーが操作された場合、ステップＢ０２でこれを判断し、操作されたキーに応じてカーソルにより反転表示するカテゴリ名を移動させた上で（ステップＢ０３）、上記ステップＢ０４に進む。
【００７７】
また、十字キーの中心の「セット」キーが操作された場合はステップＢ０４でこれを判断し、そのキー操作に従って選択された、現在反転表示されているカテゴリ名を撮影モード時に得る画像データに関連付ける位置名称情報のカテゴリとして保持設定するべく記憶し（ステップＢ０５）、以上でこのカテゴリ設定モードでの一連の処理を終了する。
【００７８】
次に図６により撮影モード下で主として制御部２２が実行する処理内容を示す。その処理当初には、ＣＣＤ１３で撮像している画像をそのままバッファメモリであるＤＲＡＭ２１に保持し、表示部２６でモニタ表示させるスルー画像表示を実行しながら（ステップＣ０１）、キー入力部２７のシャッタキーが押圧操作されたか否かを判断する（ステップＣ０２）、という処理を繰返し実行して、該シャッタキーの操作がなされるのを待機する。
【００７９】
しかして、ステップＣ０２でシャッタキーが押圧操作されたと判断した時点で、直ちに撮影処理を実行する（ステップＣ０３）。
【００８０】
次いでＧＰＳレシーバ３０による現在位置の測位処理を開始させ、現在位置の２次元（緯度及び経度）位置情報を取得する（ステップＣ０４，Ｃ０５）。そして、取得した２次元位置情報に基づいて上記地図データベース３４を検索し、取得した２次元位置が含まれるエリアと対応付けて記憶されているカテゴリ名のうち上記カテゴリ設定モードで設定したカテゴリ名に対応する位置名称情報を全て読出す（ステップＣ０６）
次に、この読出した位置名称情報が１つだけであるか否かを判断する（ステップＣ０７）。
【００８１】
ここで、予め設定してあるカテゴリの位置名称情報が１つだけであると判断した場合には、選択の余地がないので、そのまま撮影により得た画像データとそのカテゴリの位置名称情報とを関連付けてメモリカード２９に記録設定し（ステップＣ１２）、以上で一連の撮影に関する処理を一旦終了し、次の撮影に備えるべく、再び上記ステップＣ０１からの処理に戻る。
【００８２】
また、上記ステップＣ０７で撮影位置と予め設定してあるカテゴリ名に対応する位置名称情報が１つではなく複数あると判断した場合には、続いて上記ステップＣ０３の撮影処理で得た画像データに重畳して、その撮影位置と予め設定してあるカテゴリ名に該当するすべての位置名称情報を一覧表示するデータをＶＲＡＭ２４上で展開記憶させ、これを表示部２６で表示する（ステップＣ０８）。
【００８３】
図７（Ｂ）は、このとき表示部２６で表示される画像を例示するもので、画像の一部、例えば左下端部に位置情報とカテゴリ「施設」に対応した位置名称情報「東京○○○○ランド」「東京○○○○シー」「ホテル○○○○」「○○○○マウンテン」を一覧表示し、そのうちの１つ「東京○○○○シー」が選択されていることをカーソルでの反転表示により表現した上で、選択されている位置名称情報「東京○○○○シー」を別記している。
【００８４】
このような表示状態で、キー入力部２７の十字キー中の上下キーが操作されたか否か（ステップＣ０９）、あるいは該十字キーの中心に位置する「セット」キーによりその時点で選択されている位置名称情報を決定するキー操作がなされたか否か（ステップＣ１１）を繰返し判断することにより、これらのキー操作を待機する。
【００８５】
ここで十字キー中の上下キーが操作された場合、ステップＣ０９でこれを判断し、操作されたキーに応じてカーソル表示されている位置名称情報を移動させた上で（ステップＣ１０）、上記ステップＣ１１に進む。
【００８６】
また、十字キーの中心の「セット」キーが操作された場合はステップＣ１１でこれを判断し、そのキー操作に従って決定された、現在反転表示されている位置名称情報を撮影により得た画像データに関連付けてメモリカード２９に記録設定し（ステップＣ１２）、以上で一連の撮影に関する処理を一旦終了し、次の撮影に備えるべく、再び上記ステップＣ０１からの処理に戻る。
【００８７】
このように、撮影前に予め位置名称情報のカテゴリを指定しておくことで、画像撮影後は指定したカテゴリの位置名称情報を自動的に地図データベース３４から読出し、撮影により得た画像データに関連付けてメモリカード２９に記録させることが可能となる。
【００８８】
その場合、位置情報と設定したカテゴリに対応する位置名称情報が複数ある場合には、上記図７（Ｂ）に示した如く表示部２６で位置名称情報の一覧表示を行なって、ユーザに位置名称情報の選択を促すようにしたため、ユーザは位置名称情報の内容を確認した上で確実に画像に関連付けて記録させることができる。
【００８９】
なお、上記実施の形態の動作では、撮影処理後のステップＣ０４及びＣ０５でＧＰＳ測位による撮影場所の２次元位置情報を得るものとしたが、このデジタルカメラ１０の電源オン時や撮影モードの設定時、あるいは撮影モード中の所定時間毎にＧＰＳ測位を行なって撮影場所の位置情報を得、これを保持しておくようにして、実際の撮影時には保持していた位置情報を用いるようにしてもよい。
【００９０】
このようにした場合、撮影モード時の実際にシャッタキーの操作による撮影処理を実行する前のモニタ表示によるスルー画像表示状態で、保持している位置情報を用いて上記ステップＣ０６以降の位置名称情報の指定を行なう処理を事前に実行しておき、撮影処理後は指定した位置名称情報をそのまま撮影により得た画像データに関連付けて記録するようにしてもよく、さらには保持している位置名称情報をスルー画像上に重畳表示しておくものとしてもよい。
【００９１】
また、上記実施の形態では画像データに自動的に位置名称情報を関連付けて記録するものとして説明したが、撮影時には画像データにＧＰＳ測位により得た撮影場所の位置情報を関連付けて記録するのに止め、後日メモリカード２９に記録した画像データを再生する際に、撮影場所の位置名称情報を記録するモードを選択することにより、ステップＣ０６以降の処理を実行し、位置情報と予め設定してあるカテゴリ名とで決定される位置名称情報をあらためて画像データに関連付けて記録し直すようにしてもよい。
【００９２】
（第３の実施の形態）
以下本発明をデジタルスチルカメラ（以下「デジタルカメラ」と略称する）に適用した場合の第３の実施の形態について図面を参照して説明する。
【００９３】
なお、その回路構成については、上記図１で示したものとほぼ同様であるものとし、その図示及び説明は省略する。
【００９４】
また、地図データベース３４は、図８に示すように３次元（緯度、経度及び高度）位置情報の範囲毎に設定されるエリアに対応して複数のカテゴリ、例えばイベント、名所・旧跡、都道府県、及び市区町村別に位置名称情報を記憶しており、制御部２２から３次元位置情報が与えられると、対応するエリアの複数のカテゴリの位置名称情報を一括して制御部２２へ読出すものとする。
【００９５】
図示するようにこれらの位置名称情報は、１つのエリアに対して必ず１：１に対応して設定されるものではなく、カテゴリに該当する位置名称情報がない場合や、１つのカテゴリに複数の位置名称情報が設定されている場合もあり得る。
【００９６】
次に上記実施の形態の動作について説明する。
【００９７】
なお、ここではキー入力部２７のシャッタキーは２段階のストロークで動作し、一般的に「半押し」と表現されている第１段階の操作状態でＡＦ（自動合焦）、ＡＥ（自動露光）を始めとする撮影の準備を行ない、一般的に「全押し」と表現されている、より強く押圧操作した第２段階の操作状態で撮影を実行するものとする。
【００９８】
図９は、基本モードとして撮影モードが選択されている状態で主として制御部２２が実行する処理内容を示すものである。
その処理当初には、ＣＣＤ１３で撮像している画像をそのままバッファメモリであるＤＲＡＭ２１に保持し、表示部２６でモニタ表示させるスルー画像表示を実行しながら（ステップＤ０１）、キー入力部２７のシャッタキーが半押し操作されたか否かを判断する（ステップＤ０２）、という処理を繰返し実行して、該シャッタキーの半押し操作がなされるのを待機する。
【００９９】
しかして、ステップＤ０２でシャッタキーが半押し操作されたと判断した時点で、測距センサ３３から被写体までの距離データを取得し（ステップＤ０３）、レンズ光学系１２中のフォーカスレンズをその距離データに対応したステップ位置まで移動させる（ステップＤ０４）。
【０１００】
この際、同時にＡＥ処理を実行して適正な露出値を得、その露出値に従って絞り値及びシャッタ速度を設定する。
【０１０１】
その後、上記シャッタキーが全押し操作されたか否か（ステップＤ０５）、まだシャッタキーの半押し操作状態が維持されているか否か（ステップＤ０６）を繰返し判断することで、ＡＦ，ＡＥの各状態をロックしながらシャッタキーが全押し操作されるのを待機する。
【０１０２】
ここで、シャッタキーの半押し状態が解除された場合には、ステップＤ０６でこれを判断し、ＡＦ，ＡＥのロック状態を解いて再び上記ステップＤ０１からの処理に戻る。
【０１０３】
そして、ステップＤ０５でシャッタキーが全押し操作されたと判断した時点で撮影処理を実行する（ステップＤ０７）。
【０１０４】
このとき、同時にＧＰＳレシーバ３０による現在位置の測位処理を開始させ、現在位置の３次元（緯度、経度及び高度）位置情報を取得する（ステップＤ０８）。
【０１０５】
併せて、方位センサ３１からレンズ光学系１２による撮影光軸の方位データを取得すると共に（ステップＤ０９）、角度センサ３２により該撮影光軸の鉛直方向の角度、すなわち仰角または俯角の角度データを取得する（ステップＤ１０）。
【０１０６】
そして、上記取得した現在位置の緯度、経度、高度と被写体像までの撮影距離、撮影方位、及び撮影角度に基づいて被写体像の３次元位置、すなわち緯度、経度及び高度の位置を算出する（ステップＤ１１）。
【０１０７】
算出した被写体像の３次元位置情報に基づいて上記地図データベース３４を検索し、取得した３次元位置が含まれるエリアと対応付けて記憶されている複数のカテゴリの位置名称情報を一括して読出した上で、撮影した画像データに、読出した複数のカテゴリの位置名称情報をカテゴリ別に重畳したデータをＶＲＡＭ２４上で展開記憶させ、これを表示部２６で表示する（ステップＤ１２）。
【０１０８】
図１０は、このとき表示部２６で表示される撮影画像の画面を例示するもので、画面の一部、例えば右下端部にカテゴリ名「イベント」「名所・旧跡」「都道府県」「市区町村」を一覧表示し、そのうちの１つ「名所・旧跡」が指定されていることをカーソルでの反転表示により表現した上で、指定されているカテゴリ「名所・旧跡」に対応する被写体像の具体的な位置名称情報が「富士山」であることを示している。
【０１０９】
この場合、併せて表示部２６の画面左上端部では、ＧＰＳ測位による位置情報と撮影距離、撮影方位、撮影角度等から被写体像の３次元位置の記録を関連付けて行なうことを、「ＧＰＳ」の文字、磁気コンパスのマーク等により表示している。
【０１１０】
こうした表示状態から、上記図３のステップＡ０８〜Ａ１６と同様の処理を実行することにより、カテゴリに対応した位置名称情報を選択、決定して、画像データと位置名称情報とを関連付けてメモリカード２９に記録させる。
【０１１１】
このように、撮影を行なっているデジタルカメラ１０の存在している位置ではなく、撮影している被写体像の３次元位置を算出して、該当する位置名称情報を画像データに関連付けて記録させるものとした。
【０１１２】
そのため、撮影した画像に対するより適切で詳細な位置名称情報を選択することができ、選択した位置名称情報を画像データに付帯して記録させることができる。
【０１１３】
なお、上記実施の形態では、被写体像の３次元位置に対応する位置名称情報をカテゴリ別に表示するようにしたが、デジタルカメラ１０の３次元位置に対応する位置名称情報をカテゴリ別に表示するようにしてもよい。
【０１１４】
また、以下の組合せ、すなわち
１．デジタルカメラ１０の２次元位置及び撮影方位
２．デジタルカメラ１０の２次元位置、撮影方位、及び撮影距離×ｃｏｓ（撮影角度）で算出される被写体像の２次元位置
３．デジタルカメラ１０の２次元位置、撮影方位、及びレンズ光学系１２のズーム値（画角）から算出される撮影方位範囲
等に対応する位置名称情報をカテゴリ別に表示するものとしてもよい。
【０１１５】
さらに、上記実施の形態でも、ステップＤ０７での撮影処理後、自動的に被写体像の位置名称情報を画像データと共に記録するものとしてステップＤ０８以降の処理に移行するものとして説明したが、上記図３で示した如く撮影場所の位置名称情報を画像データと共に記録するモードが選択されているか否かを判断し、選択されていると判断した場合にのみステップＤ０８以下の処理を行なうものとしてもよい。
【０１１６】
また、上記実施の形態では画像データに被写体像の位置名称情報を関連付けて記録するものとして説明したが、撮影時には画像データに被写体像の３次元位置情報を関連付けて記録するのに止め、後日メモリカード２９に記録した画像データを再生する際に、撮影場所の位置名称情報を選択するモードを選択することにより上記図１０に示したような表示画面となって、図３のステップＡ０８以降の処理を実行し、選択した位置名称情報をあらためて画像データに関連付けて記録し直すようにしてもよい。
【０１１７】
（第４の実施の形態）
以下本発明をデジタルスチルカメラ（以下「デジタルカメラ」と略称する）に適用した場合の第４の実施の形態について図面を参照して説明する。
【０１１８】
なお、その回路構成については、上記図１で示したものとほぼ同様であるものとし、その図示及び説明は省略する。
【０１１９】
加えて、地図データベース３４に記憶されている３次元位置情報に対応したエリアの各カテゴリ毎の位置名称情報も上記図８に示したものと同様であるものとして、その図示及び説明は省略する。
【０１２０】
次に上記実施の形態の動作について説明する。
【０１２１】
ここでは、撮影モードでの処理に先立って、予めカテゴリ設定モードで任意のカテゴリを選択設定しておくものとするが、その処理内容は上記図５に示したものと同様であるとして、図示及び説明は省略する。
【０１２２】
図１１は、基本モードとして撮影モードが選択されている状態で主として制御部２２が実行する処理内容を示すものである。
なお、このデジタルカメラ１０は、キー入力部２７のシャッタキーは２段階のストロークで動作し、一般的に「半押し」と表現されている第１段階の操作状態でＡＦ（自動合焦）、ＡＥ（自動露光）を始めとする撮影の準備を行ない、一般的に「全押し」と表現されている、より強く押圧操作した第２段階の操作状態で撮影を実行するものとする。
【０１２３】
その処理当初には、ＣＣＤ１３で撮像している画像をそのままバッファメモリであるＤＲＡＭ２１に保持し、表示部２６でモニタ表示させるスルー画像表示を実行しながら（ステップＥ０１）、キー入力部２７のシャッタキーが半押し操作されたか否かを判断する（ステップＥ０２）、という処理を繰返し実行して、該シャッタキーの半押し操作がなされるのを待機する。
【０１２４】
しかして、ステップＥ０２でシャッタキーが半押し操作されたと判断した時点で、測距センサ３３から被写体までの距離データを取得し（ステップＥ０３）、レンズ光学系１２中のフォーカスレンズをその距離データに対応したステップ位置まで移動させる（ステップＥ０４）。
【０１２５】
この際、同時にＡＥ処理を実行して適正な露出値を得、その露出値に従って絞り値及びシャッタ速度を設定する。
【０１２６】
その後、上記シャッタキーが全押し操作されたか否か（ステップＥ０５）、まだシャッタキーの半押し操作状態が維持されているか否か（ステップＥ０６）を繰返し判断することで、ＡＦ，ＡＥの各状態をロックしながらシャッタキーが全押し操作されるのを待機する。
【０１２７】
ここで、シャッタキーの半押し状態が解除された場合には、ステップＥ０６でこれを判断し、ＡＦ，ＡＥのロック状態を解いて再び上記ステップＥ０１からの処理に戻る。
【０１２８】
そして、ステップＥ０５でシャッタキーが全押し操作されたと判断した時点で撮影処理を実行する（ステップＥ０７）。
【０１２９】
このとき、同時にＧＰＳレシーバ３０による現在位置の測位処理を開始させ、現在位置の３次元（緯度、経度及び高度）位置情報を取得する（ステップＥ０８）。
【０１３０】
併せて、方位センサ３１からレンズ光学系１２による撮影光軸の方位データを取得すると共に（ステップＥ０９）、角度センサ３２により該撮影光軸の鉛直方向の角度、すなわち仰角または俯角の角度データを取得する（ステップＥ１０）。
【０１３１】
そして、上記取得した現在位置の緯度、経度、高度と被写体像までの撮影距離、撮影方位、及び撮影角度に基づいて被写体像の３次元位置、すなわち緯度、経度及び高度の位置を算出する（ステップＥ１１）。
【０１３２】
次いで、算出した被写体像の３次元位置情報と予め設定しているカテゴリ名に基づいて上記地図データベース３４を検索し、算出した３次元位置が含まれるエリアと対応付けて記憶されているカテゴリ名のうち上記カテゴリ設定モードで設定したカテゴリ名に対応する位置名称情報を全て読出す（ステップＥ１２）。
【０１３３】
ここで、この地図データベース３４から読出した位置名称情報が１つだけであるか否かを判断する（ステップＥ１３）。
【０１３４】
ここで、予め設定してあるカテゴリの位置名称情報が１つだけであると判断した場合には、選択の余地がないので、そのまま撮影により得た画像データとそのカテゴリの位置名称情報とを関連付けてメモリカード２９に記録設定し（ステップＥ１８）、以上で一連の撮影に関する処理を一旦終了し、次の撮影に備えるべく、再び上記ステップＥ０１からの処理に戻る。
【０１３５】
また、上記ステップＥ１３で撮影位置と予め設定してあるカテゴリ名に対応する位置名称情報が１つではなく複数あると判断した場合には、続いて上記ステップＥ０７の撮影処理で得た画像データに重畳して、その撮影位置と予め設定してあるカテゴリ名に該当するすべての位置名称情報を一覧表示するデータをＶＲＡＭ２４上で展開記憶させ、これを表示部２６で表示する（ステップＥ１４）。
【０１３６】
このような表示状態で、キー入力部２７の十字キー中の上下キーが操作されたか否か（ステップＥ１５）、あるいは該十字キーの中心に位置する「セット」キーによりその時点で選択されている位置名称情報を決定するキー操作がなされたか否か（ステップＥ１７）を繰返し判断することにより、これらのキー操作を待機する。
【０１３７】
ここで十字キー中の上下キーが操作された場合、ステップＥ１５でこれを判断し、操作されたキーに応じてカーソル表示されている位置名称情報を移動させた上で（ステップＥ１６）、上記ステップＥ１７に進む。
【０１３８】
また、十字キーの中心の「セット」キーが操作された場合はステップＥ１７でこれを判断し、そのキー操作に従って決定された、現在カーソル表示されている位置名称情報を撮影により得た画像データに関連付けてメモリカード２９に記録設定し（ステップＥ１８）、以上で一連の撮影に関する処理を一旦終了し、次の撮影に備えるべく、再び上記ステップＥ０１からの処理に戻る。
【０１３９】
このように、撮影前に予め位置名称情報のカテゴリを指定しておくことで、画像撮影後に被写体像の３次元位置に対応して、指定したカテゴリの位置名称情報を自動的に地図データベース３４から読出し、撮影により得た画像データに関連付けてメモリカード２９に記録させることが可能となる。
【０１４０】
その場合、設定したカテゴリと被写体像の３次元位置に基づく位置名称情報が複数ある場合には、表示部２６で位置名称情報の一覧表示を行なって、ユーザに位置名称情報の選択を促すようにしたため、ユーザは位置名称情報の内容を確認した上で確実に画像に関連付けて記録させることができる。
【０１４１】
なお、上記実施の形態においても、予め設定したカテゴリに対応して、被写体像の３次元位置に対応する位置名称情報を表示するようにしたが、デジタルカメラ１０の３次元位置に対応する位置名称情報を予め設定したカテゴリに対応して表示するようにしてもよい。
【０１４２】
さらに、上記実施の形態でも、ステップＥ０７での撮影処理後、自動的に被写体像の位置名称情報を画像データと共に記録するものとしてステップＥ０８以降の処理に移行するものとして説明したが、上記図３で示した如く撮影場所の位置名称情報を画像データと共に記録するモードが選択されているか否かを判断し、選択されていると判断した場合にのみステップＥ０８以下の処理を行なうものとしてもよい。
【０１４３】
また、上記実施の形態では画像データに被写体像の位置名称情報を関連付けて記録するものとして説明したが、撮影時には画像データに被写体像の３次元位置情報を関連付けて記録するのに止め、後日メモリカード２９に記録した画像データを再生する際に、撮影場所の位置名称情報を記録するモードを選択することにより、図１１のステップＥ１２以降の処理を実行し、３次元位置情報と予め設定してあるカテゴリ名とで決定される位置名称情報をあらためて画像データに関連付けて記録し直すようにしてもよい。
【０１４４】
なお、上記第１乃至第４の実施の形態は、いずれも本発明をデジタルスチルカメラに適用した場合について説明したものであるが、本発明はこれに限ることなく、銀塩フィルムを使用するカメラ（以下「銀塩カメラ」と称する）、カメラ付き携帯電話、カメラ付きＰＤＡ、カメラ付きノートパソコン等にも適用可能である。
【０１４５】
この場合、銀塩フィルムにＡＰＳ（Ａｄｖａｎｃｅｄ　Ｐｈｏｔｏ　Ｓｙｓｔｅｍ）規格のものを用いる銀塩カメラであれば、フィルム全面に透明の磁気記録用コーティングが施されているため、位置名称情報も磁気データ化して対応する各コマ（画像）毎に記録するものとすればよい。
【０１４６】
また、銀塩フィルムとしてさらに広く普及している３５ｍｍシステムのものを用いる銀塩カメラであれば、一般的なデイト機構と同様に位置名称情報を光像の一部としてフィルム上に焼き付けるものとすればよい。
【０１４７】
その他、本発明は上記実施の形態に限らず、その要旨を逸脱しない範囲内で種々変形して実施することが可能であるものとする。
【０１４８】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１４９】
【発明の効果】
請求項１記載の発明によれば、位置名称情報のカテゴリをユーザの意図に応じて指定することで、撮影した画像に指定したカテゴリの位置名称情報を付帯して記録させることが可能となる。
【０１５０】
請求項２記載の発明によれば、上記請求項１記載の発明の効果に加えて、カテゴリ別に表示される位置名称情報の中から意図するカテゴリのものを指定することにより、カテゴリ別の位置名称情報の内容を確認した上で確実に画像に付帯して記録させることができる。
【０１５１】
請求項３記載の発明によれば、予め位置名称情報のカテゴリを指定しておくことで、指定したカテゴリの位置名称情報を自動的に読出し、画像に付帯して記録させることが可能となる。
【０１５２】
請求項４記載の発明によれば、上記請求項１乃至３いずれかに記載の発明の効果に加えて、単に撮影時のカメラの２次元位置のみならず、より詳細な撮影情報により画像に適した位置名称情報を選択して読出し、画像に付帯して記録させることができる。
【０１５３】
請求項５記載の発明によれば、位置名称情報のカテゴリをユーザの意図に応じて指定することで、撮影した画像に指定したカテゴリの位置名称情報を付帯して記録させることが可能となる。
【０１５４】
請求項６記載の発明によれば、予め位置名称情報のカテゴリを指定しておくことで、指定したカテゴリの位置名称情報を自動的に読出し、画像に付帯して記録させることが可能となる。
【０１５５】
請求項７記載の発明によれば、位置名称情報のカテゴリをユーザの意図に応じて指定することで、撮影した画像に指定したカテゴリの位置名称情報を付帯して記録させることが可能となる。
【０１５６】
請求項８記載の発明によれば、予め位置名称情報のカテゴリを指定しておくことで、指定したカテゴリの位置名称情報を自動的に読出し、画像に付帯して記録させることが可能となる。
【図面の簡単な説明】
【図１】本発明の第１の実施の形態に係るデジタルカメラの回路構成を示すブロック図。
【図２】図１の地図データベース内に記憶される情報構造を例示する図。
【図３】同実施の形態に係る撮影モード時の処理内容を示すフローチャート。
【図４】同実施の形態に係る撮影画像を例示する図。
【図５】本発明の第２の実施の形態に係るカテゴリ設定モード時の処理内容を示すフローチャート。
【図６】同実施の形態に係る撮影モード時の処理内容を示すフローチャート。
【図７】同実施の形態に係るカテゴリ選択と撮影画像を例示する図。
【図８】本発明の第３の実施の形態に係る地図データベース内に記憶される情報構造を例示する図。
【図９】同実施の形態に係る撮影モード時の処理内容を示すフローチャート。
【図１０】同実施の形態に係る撮影画像を例示する図。
【図１１】本発明の第４の実施の形態に係る撮影モード時の処理内容を示すフローチャート。
【符号の説明】
１０…デジタルカメラ
１１…モータ（Ｍ）
１２…レンズ光学系
１３…ＣＣＤ
１４…タイミング発生器（ＴＧ）
１５…垂直ドライバ
１６…サンプルホールド（Ｓ／Ｈ）回路
１７…Ａ／Ｄ変換器
１８…カラープロセス回路
１９…ＤＭＡコントローラ
２０…ＤＲＡＭインタフェース（Ｉ／Ｆ）
２１…ＤＲＡＭ
２２…制御部
２３…ＶＲＡＭコントローラ
２４…ＶＲＡＭ
２５…デジタルビデオエンコーダ
２６…表示部
２７…キー入力部
２８…ＪＰＥＧ回路
２９…メモリカード
３０…ＧＰＳレシーバ
３１…方位センサ
３２…角度センサ
３３…測距センサ
３４…地図データベース
３５…ＧＰＳアンテナ
【図１】
2004088607.tif 000003
【図２】
2004088607.tif 000004
【図３】
2004088607.tif 000005
【図４】
2004088607.tif 000006
【図５】
2004088607.tif 000007
【図６】
2004088607.tif 000008
【図７】
2004088607.tif 000009
【図８】
2004088607.tif 000010
【図９】
2004088607.tif 000011
【図１０】
2004088607.tif 000012
【図１１】
2004088607.tif 000013